(57)【特許請求の範囲】
【請求項１】
印象情報及び係数と、前記印象情報の各々に対してドキュメントの印象を表現する選択肢群のうち少なくとも１つと、を関連付けて印象表現データベースとして記憶する印象表現データベース記憶手段と、
前記印象情報が所定の傾向に沿ってマッピングされると共に、前記印象マップ上におけるデザインのカテゴリーを表す領域が定められた印象マップを記憶する印象マップ記憶手段と、
前記印象表現データベースに含まれる選択肢群からユーザが選択した、制作対象となるドキュメントのデザインの目標とする印象に合った選択肢を取得する選択肢取得手段と、
前記制作対象となるドキュメントのデザインが意味する内容を示すカテゴリーを取得するカテゴリー取得手段と、
前記印象情報毎に、前記選択肢取得手段において取得された選択肢に関連付けられた前記係数を評価値として積算し、前記評価値の大きさに応じて前記印象情報の少なくとも１つをドキュメントのデザイン制作の目標とする目標印象情報として決定する目標印象情報決定手段と、
前記印象マップ上において前記目標印象情報となる前記印象情報が割り当てられた位置を前記カテゴリー取得手段において取得されたカテゴリーを表す領域に応じて補正した補正位置を決定する表示位置補正手段と、
前記印象マップ上における前記補正位置に前記目標印象情報を表示する情報呈示手段と、
を備えることを特徴とするデザイン制作支援装置。
【請求項２】
請求項１に記載のデザイン制作支援装置であって、
前記表示位置補正手段は、前記カテゴリー取得手段において取得されたカテゴリーを表す領域の前記印象マップ上での重心位置又は最頻度位置又は上位頻度の重み付け平均位置に基づいて、前記印象マップ上における前記目標印象情報を表示する位置を補正することを特徴とするデザイン制作支援装置。
【請求項３】
請求項１又は２に記載のデザイン制作支援装置であって、
前記目標印象情報は、ドキュメントのデザイン制作で用いるべき印象を表す形容詞、単色のカラーパッチ、複数の色の組み合わせのカラーパレットの少なくとも１つであることを特徴とするデザイン制作支援装置。
【請求項４】
請求項１〜３のいずれか１つに記載のデザイン制作支援装置であって、
前記情報呈示手段は、前記印象マップ上における前記目標印象情報の位置と前記補正位置との間にマッピングされている前記印象情報を前記印象マップ上に表示することを特徴とするデザイン制作支援装置。
【請求項５】
印象情報及び係数と、前記印象情報の各々に対してドキュメントの印象を表現する選択肢群のうち少なくとも１つと、を関連付けて印象表現データベースとして記憶する印象表現データベース記憶手段と、
前記印象情報が所定の傾向に沿ってマッピングされると共に、前記印象マップ上におけるデザインのカテゴリーを表す領域が定められた印象マップを記憶する印象マップ記憶手段と、
前記印象表現データベースに含まれる選択肢群から実際のドキュメントのデザインから受ける印象に合った選択肢をユーザに前記印象表現データベースから選択させて取得する選択肢取得手段と、
前記制作対象となるドキュメントのデザインが意味する内容を示すカテゴリーを取得するカテゴリー取得手段と、
前記印象情報毎に、前記選択肢取得手段において取得された選択肢に関連付けられた前記係数を評価値として積算し、前記評価値の大きさに応じて前記印象情報の少なくとも１つを実際のドキュメントのデザインの印象を表すユーザ印象情報として決定するユーザ印象情報決定手段と、
前記印象マップ上において前記ユーザ印象情報となる前記印象情報が割り当てられた位置を前記カテゴリー取得手段において取得されたカテゴリーを表す領域に応じて補正した補正位置を決定する表示位置補正手段と、
前記印象マップ上における前記補正位置に前記ユーザ印象情報を表示する情報呈示手段と、
を備えることを特徴とするデザイン制作支援装置。
【請求項６】
請求項５に記載のデザイン制作支援装置であって、
前記表示位置補正手段は、前記カテゴリー取得手段において取得されたカテゴリーを表す領域の前記印象マップ上での重心位置又は最頻度位置又は上位頻度の重み付け平均位置に基づいて、前記印象マップ上における前記ユーザ印象情報を表示する位置を補正することを特徴とするデザイン制作支援装置。
【請求項７】
請求項５又は６に記載のデザイン制作支援装置であって、
前記ユーザ印象情報は、ドキュメントのデザイン制作で用いるべき印象を表す形容詞、単色のカラーパッチ、複数の色の組み合わせのカラーパレットの少なくとも１つであることを特徴とするデザイン制作支援装置。
【請求項８】
請求項５〜７のいずれか１つに記載のデザイン制作支援装置であって、
前記情報呈示手段は、前記印象マップ上における前記ユーザ印象情報の位置と前記補正位置との間にマッピングされている前記印象情報を前記印象マップ上に表示することを特徴とするデザイン制作支援装置。
【請求項９】
印象情報及び係数と、前記印象情報の各々に対してドキュメントの印象を表現する選択肢群のうち少なくとも１つと、を関連付けて印象表現データベースとして記憶する印象表現データベース記憶手段と、前記印象情報が所定の傾向に沿ってマッピングされると共に、前記印象マップ上におけるデザインのカテゴリーを表す領域が定められた印象マップを記憶する印象マップ記憶手段と、を備えるコンピュータを、
前記印象表現データベースに含まれる選択肢群からユーザが選択した、制作対象となるドキュメントのデザインの目標とする印象に合った選択肢を取得する選択肢取得手段と、
前記制作対象となるドキュメントのデザインが意味する内容を示すカテゴリーを取得するカテゴリー取得手段と、
前記印象情報毎に、前記選択肢取得手段において取得された選択肢に関連付けられた前記係数を評価値として積算し、前記評価値の大きさに応じて前記印象情報の少なくとも１つをドキュメントのデザイン制作の目標とする目標印象情報として決定する目標印象情報決定手段と、
前記印象マップ上において前記目標印象情報となる前記印象情報が割り当てられた位置を前記カテゴリー取得手段において取得されたカテゴリーを表す領域に応じて補正した補正位置を決定する表示位置補正手段と、
前記印象マップ上における前記補正位置に前記目標印象情報を表示する情報呈示手段と、
を備えるデザイン制作支援装置として機能させることを特徴とするデザイン制作支援プログラム。
【請求項１０】
印象情報及び係数と、前記印象情報の各々に対してドキュメントの印象を表現する選択肢群のうち少なくとも１つと、を関連付けて印象表現データベースとして記憶する印象表現データベース記憶手段と、前記印象情報が所定の傾向に沿ってマッピングされると共に、前記印象マップ上におけるデザインのカテゴリーを表す領域が定められた印象マップを記憶する印象マップ記憶手段と、を備えるコンピュータを、
前記印象表現データベースに含まれる選択肢群からユーザが選択した、実際のドキュメントのデザインから受ける印象に合った選択肢を取得する選択肢取得手段と、
前記制作対象となるドキュメントのデザインが意味する内容を示すカテゴリーを取得するカテゴリー取得手段と、
前記印象情報毎に、前記選択肢取得手段において取得された選択肢に関連付けられた前記係数を評価値として積算し、前記評価値の大きさに応じて前記印象情報の少なくとも１つを実際のドキュメントのデザインの印象を表すユーザ印象情報として決定するユーザ印象情報決定手段と、
前記印象マップ上において前記ユーザ印象情報となる前記印象情報が割り当てられた位置を前記カテゴリー取得手段において取得されたカテゴリーを表す領域に応じて補正した補正位置を決定する表示位置補正手段と、
前記印象マップ上における前記補正位置に前記ユーザ印象情報を表示する情報呈示手段と、
を備えるデザイン制作支援装置として機能させることを特徴とするデザイン制作支援プログラム。
【発明の詳細な説明】
【技術分野】
【０００１】
本発明は、目標とするデザインの印象、実際に制作されたデザインの印象及びデザインからユーザが受ける印象に基づいてデザイン制作の支援を行うデザイン制作支援装置及びデザイン制作支援プログラムに関する。
【背景技術】
【０００２】
企業のコーポレートマーク、商品、プレゼンテーション資料やウェブサイトのページ等に施されたデザインは顧客や使用者等が受ける印象（イメージ）に対して大きな影響を与える。したがって、そのデザイン制作においては、企業戦略、商品販売戦略、情報提供等をする者が受け手（ユーザ）に対して与えようとする印象を的確に表現することが重要である。
【０００３】
例えば、商品のデザイン制作をデザイン制作者に依頼して行う場合には、図３２に示すように、依頼主であるクライアントが商品やプレゼンテーション資料に必要とされる目標印象を決定し（Ｓ１００）、デザイン制作者がその印象に合致するデザインの制作を行い（Ｓ１０２）、制作されたデザインの印象の評価を行い（Ｓ１０４）、必要とする印象と現実のデザインの印象との相違に基づいて依頼主はデザイン修正が必要な場合は修正を指示し、修正が必要でない場合には最終的なデザインが決定される（Ｓ１０６）。
【０００４】
このようなデザイン制作の中で、商品、プレゼンテーション資料及びウェブページ等のドキュメントの描画・着色を支援するアプリケーションソフトウェアが多数開発されている。これらの多くは、実際の着色をアプリケーションの使用者に委ねており、デザイン制作に不慣れな使用者は印象を的確に表すことが困難である。
【０００５】
そこで、人間の感性に基づいて処理やドキュメントの印象評価を行う方法についての研究がなされている。
【０００６】
特許文献１には、デザイン制作の際に目標となる印象に関する文字情報を目標イメージとして決定する目標イメージ決定工程と、実際に制作されたデザインの印象に関する文字情報をデザインイメージとして求めるデザインイメージ評価工程とを実行し、イメージに関する文字情報を表示画面の各領域に割り当てたイメージマップ画面と、イメージマップ画面の領域のうち目標イメージ情報に対応する領域に目標イメージ情報と、デザインイメージ情報に対応する領域にデザインイメージと、を重ね合わせて表示する技術が開示されている。
【０００７】
【特許文献１】特開２００４−１０２７３４号公報
【発明の開示】
【発明が解決しようとする課題】
【０００８】
しかしながら、上記従来技術では、目標イメージ決定行程及びユーザイメージ決定行程において、評価対象となるドキュメントのデザインの意味を考慮して印象評価を行っていない。例えば、ドキュメントのデザインが「春」を表現したものである場合と「夏」を表現したものである場合とでは、同じ文字情報が選択された場合でもデザインの印象を評価する際には異なる意味を示すことになるが、そのようなドキュメントのデザインの意味を考慮した処理は行われていない。したがって、評価対象となるドキュメントによっては、得られた評価結果にずれが生ずる場合がある。
【０００９】
本発明は、上記従来技術の課題を鑑み、デザイン制作の目標となる目標印象情報や実際のデザインから受けた印象を示すユーザ印象情報を評価する際にドキュメントのデザインの意味を考慮した処理を行うことを可能とするデザイン制作支援装置及びデザイン制作支援プログラムを提供することを目的とする。
【課題を解決するための手段】
【００１０】
本発明は、印象情報及び係数と、前記印象情報の各々に対してドキュメントの印象を表現する選択肢群のうち少なくとも１つと、を関連付けて印象表現データベースとして記憶する印象表現データベース記憶手段と、前記印象情報が所定の傾向に沿ってマッピングされると共に、前記印象マップ上におけるデザインのカテゴリーを表す領域が定められた印象マップを記憶する印象マップ記憶手段と、前記印象表現データベースに含まれる選択肢群からユーザが選択した、制作対象となるドキュメントのデザインの目標とする印象に合った選択肢を取得する選択肢取得手段と、前記制作対象となるドキュメントのデザインが意味する内容を示すカテゴリーを取得するカテゴリー取得手段と、前記印象情報毎に、前記選択肢取得手段において取得された選択肢に関連付けられた前記係数を評価値として積算し、前記評価値の大きさに応じて前記印象情報の少なくとも１つをドキュメントのデザイン制作の目標とする目標印象情報として決定する目標印象情報決定手段と、前記印象マップ上において前記目標印象情報となる前記印象情報が割り当てられた位置を前記カテゴリー取得手段において取得されたカテゴリーを表す領域に応じて補正した補正位置を決定する表示位置補正手段と、前記印象マップ上における前記補正位置に前記目標印象情報を表示する情報呈示手段と、を備えることを特徴とするデザイン制作支援装置である。
【００１１】
本発明のデザイン制作支援装置は、印象情報及び係数と、前記印象情報の各々に対してドキュメントの印象を表現する選択肢群のうち少なくとも１つと、を関連付けて印象表現データベースとして記憶する印象表現データベース記憶手段と、前記印象情報が所定の傾向に沿ってマッピングされると共に、前記印象マップ上におけるデザインのカテゴリーを表す領域が定められた印象マップを記憶する印象マップ記憶手段と、を備えるコンピュータを、前記印象表現データベースに含まれる選択肢群からユーザが選択した、制作対象となるドキュメントのデザインの目標とする印象に合った選択肢を取得する選択肢取得手段と、前記制作対象となるドキュメントのデザインが意味する内容を示すカテゴリーを取得するカテゴリー取得手段と、前記印象情報毎に、前記選択肢取得手段において取得された選択肢に関連付けられた前記係数を評価値として積算し、前記評価値の大きさに応じて前記印象情報の少なくとも１つをドキュメントのデザイン制作の目標とする目標印象情報として決定する目標印象情報決定手段と、前記印象マップ上において前記目標印象情報となる前記印象情報が割り当てられた位置を前記カテゴリー取得手段において取得されたカテゴリーを表す領域に応じて補正した補正位置を決定する表示位置補正手段と、前記印象マップ上における前記補正位置に前記目標印象情報を表示する情報呈示手段と、を備えるデザイン制作支援装置として機能させることを特徴とするデザイン制作支援プログラムにより実現することができる。
【００１２】
ここで、前記表示位置補正手段は、前記カテゴリー取得手段において取得されたカテゴリーを表す領域の前記印象マップ上での重心位置又は最頻度位置又は上位頻度の重み付け平均位置に基づいて、前記印象マップ上における前記目標印象情報を表示する位置を補正することが好適である。
【００１３】
また、前記目標印象情報は、ドキュメントのデザイン制作で用いるべき印象を表す形容詞、単色のカラーパッチ、複数の色の組み合わせのカラーパレットの少なくとも１つであることが好適である。
【００１４】
また、前記情報呈示手段は、前記印象マップ上における前記目標印象情報の位置と前記補正位置との間にマッピングされている前記印象情報を前記印象マップ上に表示することが好適である。例えば、表示画面上に表示位置と重心位置等との間の割合を指定するためのスライドバー等を表示させ、そのスライドバーをスライドさせることによって、そのスライドの割合に応じて目標印象情報の表示位置とカテゴリーの印象マップ上での重心位置又は最頻度位置又は上位頻度の重み付け平均位置の少なくとも１つとの間に割り当てられている形容詞、単色のカラーパッチ、複数の色の組み合わせのカラーパレットを表示させる。
【００１５】
本発明は、印象情報及び係数と、前記印象情報の各々に対してドキュメントの印象を表現する選択肢群のうち少なくとも１つと、を関連付けて印象表現データベースとして記憶する印象表現データベース記憶手段と、前記印象情報が所定の傾向に沿ってマッピングされると共に、前記印象マップ上におけるデザインのカテゴリーを表す領域が定められた印象マップを記憶する印象マップ記憶手段と、前記印象表現データベースに含まれる選択肢群から実際のドキュメントのデザインから受ける印象に合った選択肢をユーザに前記印象表現データベースから選択させて取得する選択肢取得手段と、前記制作対象となるドキュメントのデザインが意味する内容を示すカテゴリーを取得するカテゴリー取得手段と、前記印象情報毎に、前記選択肢取得手段において取得された選択肢に関連付けられた前記係数を評価値として積算し、前記評価値の大きさに応じて前記印象情報の少なくとも１つを実際のドキュメントのデザインの印象を表すユーザ印象情報として決定するユーザ印象情報決定手段と、前記印象マップ上において前記ユーザ印象情報となる前記印象情報が割り当てられた位置を前記カテゴリー取得手段において取得されたカテゴリーを表す領域に応じて補正した補正位置を決定する表示位置補正手段と、前記印象マップ上における前記補正位置に前記ユーザ印象情報を表示する情報呈示手段と、を備えることを特徴とするデザイン制作支援装置である。
【００１６】
本発明に係るデザイン制作支援装置は、印象情報及び係数と、前記印象情報の各々に対してドキュメントの印象を表現する選択肢群のうち少なくとも１つと、を関連付けて印象表現データベースとして記憶する印象表現データベース記憶手段と、前記印象情報が所定の傾向に沿ってマッピングされると共に、前記印象マップ上におけるデザインのカテゴリーを表す領域が定められた印象マップを記憶する印象マップ記憶手段と、を備えるコンピュータを、前記印象表現データベースに含まれる選択肢群からユーザが選択した、実際のドキュメントのデザインから受ける印象に合った選択肢を取得する選択肢取得手段と、前記制作対象となるドキュメントのデザインが意味する内容を示すカテゴリーを取得するカテゴリー取得手段と、前記印象情報毎に、前記選択肢取得手段において取得された選択肢に関連付けられた前記係数を評価値として積算し、前記評価値の大きさに応じて前記印象情報の少なくとも１つを実際のドキュメントのデザインの印象を表すユーザ印象情報として決定するユーザ印象情報決定手段と、前記印象マップ上において前記ユーザ印象情報となる前記印象情報が割り当てられた位置を前記カテゴリー取得手段において取得されたカテゴリーを表す領域に応じて補正した補正位置を決定する表示位置補正手段と、前記印象マップ上における前記補正位置に前記ユーザ印象情報を表示する情報呈示手段と、を備えるデザイン制作支援装置として機能させることを特徴とするデザイン制作支援プログラムにより実現することができる。
【００１７】
ここで、前記表示位置補正手段は、前記カテゴリー取得手段において取得されたカテゴリーを表す領域の前記印象マップ上での重心位置又は最頻度位置又は上位頻度の重み付け平均位置に基づいて、前記印象マップ上における前記ユーザ印象情報を表示する位置を補正することが好適である。
【００１８】
また、前記ユーザ印象情報は、ドキュメントのデザイン制作で用いるべき印象を表す形容詞、単色のカラーパッチ、複数の色の組み合わせのカラーパレットの少なくとも１つであることが好適である。
【００１９】
また、前記情報呈示手段は、前記印象マップ上における前記ユーザ印象情報の位置と前記補正位置との間にマッピングされている前記印象情報を前記印象マップ上に表示することが好適である。この場合も、表示画面にスライドバー等を表示させて処理を行うことが好ましい。
【発明の効果】
【００２０】
本発明によれば、ドキュメントのデザインの意味を考慮して、デザインの制作の目標となる印象や実際のデザインから受ける印象を評価することが可能となる。これによって、従来よりも的確なドキュメントのデザインの印象評価を行うことができる。
【発明を実施するための最良の形態】
【００２１】
１．装置構成
本発明の実施の形態におけるデザイン制作支援装置は、図１のように、マネジメントサーバ１００、クライアントコンピュータ１０２ａ，１０２ｂ・・・及びネットワーク１０４から構成される。マネジメントサーバ１００及びクライアントコンピュータ１０２ａ，１０２ｂ・・・は、ネットワーク１０４を介して、情報伝達可能に接続される。
【００２２】
マネジメントサーバ１００は、図２のように、制御部１０、記憶部１２、入力部１４、出力部１６及びネットワークインターフェース部１８から基本的に構成される。
【００２３】
制御部１０は、記憶部１２に保存されたデザイン制作支援プログラムを読み出して実行する。また、処理に必要なデータを入力部１４、ネットワーク１０４から取り込み、記憶部１２に格納する。また、処理に必要な場合には、記憶部１２に保持されたデータを読み出して処理に供する。さらに、処理結果を再び記憶部１２に格納し、必要に応じて出力部１６又はネットワーク１０４に出力する。
【００２４】
記憶部１２は、デザイン制作支援プログラム及び入力部１４やネットワークから取り込まれるキーワード等の各種データを格納及び保持する。また、処理に必要とされる印象表現データベース、印象評価データベース、デザイン評価データベース、デザインデータベース、ユーザ印象情報データベース、印象マップ表示用データベース等のデータベースを格納及び保持する。各々のデータベースの内容及び使用方法については後述する。記憶部１２としては、主として半導体メモリが用いられるが、例えば、ハードディスク、光ディスク、光磁気ディスク、磁気テープなどの記憶装置を用いることもできる。
【００２５】
入力部１４は、使用者が処理に必要なデータを入力する際に用いられる。入力部１４としては、例えば、キーボード等の文字入力装置やマウス、ライトペン等のポインティングデバイスを用いることができる。また、紙などの記録媒体に作成された既存のプレゼンテーション資料等を電子データとして読み込む場合には、スキャナ等のドキュメント読取装置、音声等を入力する場合にはデジタル信号への変換が可能な音声入力装置を用いることができる。
【００２６】
出力部１６は、処理に必要なデータの入力を促す入力画面、制御部１０での処理結果を示す出力画面等を表示する。出力部１６としては、例えば、ディスプレイ、プリンタ等のドキュメント出力装置を用いることができる。
【００２７】
ネットワークインターフェース部１８は、マネジメントサーバ１００をネットワーク１０４と情報伝達可能に接続するために用いられる。
【００２８】
また、クライアントコンピュータ１０２ａ，１０２ｂ・・・もマネジメントサーバ１００と同様にコンピュータの基本構成を有する。クライアントコンピュータ１０２ａ，１０２ｂ・・・においても、ネットワーク１０４を介することによって、マネジメントサーバ１００に対して処理に必要な情報を送信したり、マネジメントサーバ１００における処理結果を受信したりすることができる。また、以下に示すデザイン制作支援方法の処理の一部をクライアントコンピュータ１０２で実行させてもよい。
【００２９】
２．デザイン制作支援方法
本実施の形態におけるデザイン制作支援方法を、図３を参照して、以下に詳細に説明する。なお、本願請求項に係る発明における各手段は、以下のデザイン制作支援方法の各工程をコンピュータで処理させることによって実現される。
【００３０】
ここで、デザインの制作を行う者（以下、デザイン制作者という）、デザイン制作者に対してデザインの制作を依頼する者（以下、依頼主という）及び制作されたデザインの受け手となる者（以下、ユーザという）がシステムを利用するものとして説明を行う。また、デザイン制作者、依頼主及びユーザのいずれもが行うことができる作業については、一般的に操作者が操作を行うものとする。通常、デザイン制作者、依頼主及びユーザは異なる者であるが、デザイン制作者自身が制作したデザインを適切に修正するときなどは、デザイン制作者、依頼主及びユーザが同一者となる場合もある。
【００３１】
クライアントコンピュータ１０２ａ，１０２ｂ・・・は、ネットワーク１０４を介して、それぞれマネジメントサーバ１００と接続されて通信を行い、いずれもデザイン制作者の端末としても、依頼主の端末としても機能することができる。以下の説明においては便宜上、操作者はマネジメントサーバ１００を用いて処理を行うものとする。
【００３２】
デザイン制作支援方法は、図３のように、ステップＳ１０の目標印象決定工程、ステップＳ２０のデザイン印象評価工程、ステップＳ３０のユーザ印象取得工程及びステップＳ４０の印象呈示を含んでなる。
【００３３】
これらの各工程は、コンピュータで処理可能なデザイン制作支援プログラムをマネジメントサーバ１００の記憶部１２に格納及び保持し、マネジメントサーバ１００によってそのプログラムを実行することによって実現される。
【００３４】
プログラムの処理が開始されると、ステップＳ０において、図４のように、制御部１０はメインメニュー画面１０００を出力部１６に表示させ、操作者に対して所望の処理を選択するように促す。ここで、メインメニュー画面１０００においては、マウスポインタ５が表示され、所望の処理を示す画面位置をクリックすることによって、各処理の実行が開始される。
【００３５】
また、メインメニュー画面１０００には、制作の対象となっているデザインの識別番号を入力するボックス１５が設けられており、以下の処理において対象となるデータベース等はこのボックス１５に入力された番号で識別されることとなる。
【００３６】
例えば、ボックス１５に識別番号として“９”を入力し、目標印象決定ボタン２０が表示されている位置にマウスポインタ５を移動させ、マウスをクリックすることによって、デザインの識別番号は９となり、ステップＳ１０の目標印象決定工程に処理が移行する。同様に、ステップＳ２０のデザイン印象評価工程、ステップＳ３０のユーザ印象取得工程、ステップＳ４０の印象呈示に処理を移行させる場合もそれぞれデザイン印象評価ボタン２１、ユーザ印象取得ボタン２２、印象呈示ボタン２３が表示されている位置にマウスポインタ５を移動させてマウスをクリックすることによって処理を移行させることができる。
【００３７】
２−１．目標印象決定工程
ステップＳ１０の目標印象決定工程では、制作対象となるデザインに必要とされる印象に関する情報（以下、目標印象情報という）が定められる。目標印象決定工程は、図５に示すフローチャートによって処理される。
【００３８】
ステップＳ１０ａでは、評価対象となるドキュメントのデザインが示す意味に基づいたデザインのカテゴリーを取得する。制御部１０は、図６に示すように、カテゴリー入力画面１００１を出力部１６に表示させ、制作しようとするドキュメントのデザインが意味する内容をユーザに入力させる。
【００３９】
本実施の形態では、制作対象となるデザインが春、夏、秋、冬のいずれを意味するものとするかをユーザに選択させる。例えば、デザインを「春」を意味する内容として制作しようとしている場合、ドキュメントの制作依頼主は、入力部１４としてマウスを用いてカテゴリー入力画面１００１に重ね合わせて表示されたマウスポインタ５を移動させ、デザイン「春」に付されたチェックボックス２６にマウスポインタ５を合わせてマウスをクリックすることによって選択する。選択されたチェックボックス２６には、チェックマークを表示させる。選択が終了すると、マウスポインタ５を決定ボタン２７の位置に移動させ、マウスをクリックすることによって、選択されたカテゴリー「春」が記憶部１２に保存される。
【００４０】
次に、ステップＳ１０ｂにおいて、制御部１０は、目標印象入力画面１００２を出力部１６に表示させる。目標印象入力画面１００２は、図７に示すように、デザインの印象を表現する複数の情報（選択肢）を提示して、依頼主からデザイン制作の目標となる印象にあった情報（選択肢）を選択させるものである。
【００４１】
ここで、デザインの印象を表現する情報（選択肢）は、デザインの印象を端的に表現する形容詞群からなる文字情報、単一の色を表すカラーパッチの群や複数の色彩を組み合わせたカラーパレットの群からなる色彩情報、デザインの印象を抽象的に表現する抽象画の群からなる画像情報等を、デザイン制作の対象に応じて適宜選択して用いることが好適である。これらの情報は、印象表現データベースとして予め記憶部１２に保存しておくことによって、適宜読み出して用いることができる。
【００４２】
本実施の形態では、まず、図８の印象表現データベースを用いてドキュメントの印象をユーザから取得する。印象表現データベースは、図９に示すような印象マップの全体を網羅する形容詞の表現を含むものである。ここで、印象マップとは、表示画面を複数の領域に分割し、各々の領域をドキュメントの印象を示す領域として割り当てたものである。印象マップには座標軸を設けて、その座標軸に沿って印象が所定の傾向で変化するように構成される。例えば、図９の例では、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って印象を表す選択肢（形容詞）が割り当てられている。なお、印象マップへの情報の割り当て方法はこれに限られるものではなく、対象とするデザインの種類に応じて座標軸の設定を変更することが好ましい。
【００４３】
また、印象マップに含まれる選択肢（形容詞）がドキュメントのデザインが意味するカテゴリーを連想させるものであるかをアンケート等によって調査することによって、各カテゴリーを連想させる選択肢（形容詞）の印象マップ上の分布を求めることができる。例えば、印象表現データベースに含まれる選択肢（形容詞）について「春」，「夏」，「秋」，「冬」の各カテゴリーのいずれを連想させるかを多数の被験者に評価させ、各カテゴリーを連想させるとした選択肢（形容詞）を含む印象マップ上の領域がそのカテゴリーを表す領域とする。
【００４４】
このように印象マップ上における各カテゴリーの領域を定めることによって、各カテゴリーを示す領域の印象マップ上における重心位置、最頻度位置及び上位頻度の重み付け平均位置をカテゴリー毎に決定することができる。ここで、重心位置とは、各カテゴリーに対応付けられている選択肢（形容詞）の印象マップ上での平均位置を意味する。また、最頻度位置とは、アンケート調査等において各カテゴリーについて最も多く選択された選択肢（形容詞）の印象マップ上の位置を意味する。また、上位頻度の重み付け平均位置とは、アンケート調査等によって各カテゴリーについて多く選択された選択肢（形容詞）の上位から所定数の位置をそれぞれ順位によって重み付けして、それらの重み付けされた位置の平均位置を算出したものを意味する。本実施の形態では、カテゴリー毎の重心位置を用いるものとして説明を行う。そこで、カテゴリー毎の重心位置を予め求めて、記憶部１２に格納及び保持させる。
【００４５】
ここでは、図７のように、印象表現データベースから読み出された形容詞が列挙表示された目標印象入力画面１００２を出力部１６に表示させる。
【００４６】
ステップＳ１０ｃでは、ユーザは入力部１４を用いて、デザインに要求される印象に沿った情報が取得される。ドキュメントの制作依頼主等であるユーザは、入力部１４としてマウスを用いて目標印象入力画面１００２に重ね合わせて表示されたマウスポインタ５を移動させ、デザインに要求される印象に合う形容詞に付設されたチェックボックス２８にマウスポインタ５を合わせてマウスをクリックすることによって選択する。選択されたチェックボックス２８には、チェックマークを表示させる。選択が終了すると、マウスポインタ５を決定ボタン２９の位置に移動させ、マウスをクリックすることによって、選択された形容詞の文字情報が記憶部１２に保存される。図７の例では、「あどけない」、「可憐な」及び「メルヘンの」という文字情報が選択されて記憶部１２に保存される。
【００４７】
なお、印象を表現する情報の選択方法は、これに限られるものではなく、依頼主の入力が容易に行える方法であれば他の方法を用いても良い。
【００４８】
次に、ステップＳ１０ｄでは、ステップＳ１０ｂでの取得されたデザインのカテゴリー及びステップＳ１０ｃで取得されたデザインに要求される印象に合う形容詞（選択肢）に基づいて、ドキュメントのデザイン制作における目標印象情報が定められる。
【００４９】
ステップＳ１０ｃで選択された形容詞（選択肢）に基づいて目標印象情報が決定される。制御部１０は、予め記憶部１２に格納されている印象評価データベースを参照することによって、ステップＳ１０ｃにおいて選択された形容詞に関連付けられている印象情報及び係数を抽出する。
【００５０】
例えば、選択された形容詞が「あどけない」であった場合、図１０の印象評価データベースの例では、印象情報として「キュート」及び係数０．１、「カジュアル」及び係数０．５、「プリティ」及び係数０．４が抽出される。同様に、「可憐な」については、「キュート」及び係数０．８、「カジュアル」及び係数０．２が抽出され、「メルヘンの」については、「キュート」及び係数０．７、「プリティ」及び係数０．２、「ナチュラル」及び係数０．１が抽出される。
【００５１】
制御部１０は、抽出された印象情報毎に係数を足し合わせて評価値を算出する。そして、印象情報毎の評価値が最も大きい値である印象情報をメイン目標印象情報として設定し、評価値が二番目に大きい値である印象情報をサブ目標印象情報として設定し、評価値が三番目に大きい値である印象情報をアクセント目標印象情報として設定する。
【００５２】
上記例では、印象情報毎の評価値は、それぞれ「キュート」が１．６、「カジュアル」が０．７、「プリティ」が０．６、「ナチュラル」が０．１となる。したがって、最も評価値が大きい「キュート」がメイン目標印象情報、二番目に評価値が高い「カジュアル」がサブ目標印象情報、三番目に評価値が高い「プリティ」がアクセント目標印象情報として設定される。
【００５３】
なお、本実施の形態では、メイン目標印象情報、サブ目標印象情報及びアクセント目標印象情報が決定される。メイン目標印象情報は、ドキュメントのデザイン制作において主に目標とすべき印象を表す情報を意味する。サブ目標印象情報は、ドキュメントのデザイン制作においてメイン目標印象情報の次に参照すべき印象を表す情報を意味する。アクセント目標印象情報は、ドキュメントのデザイン制作においてデザインにアクセントを与える場合に参照すべき印象を表す情報を意味する。
【００５４】
メイン目標印象情報、サブ目標印象情報及びアクセント目標印象情報が決定されると、制御部１０は、それらの情報を記憶部１２に記憶させた後に、処理をメインルーチンＳ０へ戻す。
【００５５】
以上のように、本実施の形態では、ユーザによってドキュメントのデザイン制作の目標とすべき印象を表す形容詞を選択させ、その選択に応じてドキュメントのデザイン制作で参照すべき目標印象情報を決定する。印象を抽象化して表現する印象情報を直接選択するのではなく、ユーザにとって意味が比較的理解し易い選択肢（形容詞）を選択させることによって、それらの選択された選択肢（形容詞）に基づいてドキュメントのデザイン制作で目標とするべき印象を容易かつ的確に決定することができる。
【００５６】
なお、本実施の形態では、選択肢として形容詞を用いたが、上記のように単一の色を表すカラーパッチの群や複数の色彩を組み合わせたカラーパレットの群からなる色彩情報、デザインの印象を抽象的に表現する抽象画の群からなる画像情報を用いても同様に処理を行うことができる。
【００５７】
また、本実施の形態では、単純に印象情報毎の係数の和を評価値としてメイン目標印象情報、サブ目標印象情報及びアクセント目標印象情報を設定したが、これに限定されるものではない。例えば、印象情報毎に人に与える印象の強さが異なるので、予め印象情報毎にその印象情報に沿ったデザインをドキュメントに取り込んだ場合に人に与える印象の強さの相違をアンケート等で評価しておき、その結果に応じて印象情報毎の評価値を補正してもよい。
【００５８】
また、本実施の形態では、一人の依頼主のみの情報選択に基づいて目標印象情報を定めるものとしたが、上記ステップＳ１０ｃを繰り返すことによって、複数の評価者によって選択された選択肢（形容詞）に基づいて目標印象情報を設定するものとしてもよい。この場合も、上記と同様に、印象情報毎に複数の評価者によって選択された選択肢（形容詞）の係数を足し合わせて評価値を算出し、その評価値に基づいて目標印象情報を設定することができる。
【００５９】
２−２．デザイン印象評価工程
ステップＳ０において、デザイン印象評価ボタン２１がクリックされると、ステップＳ２０のデザイン印象評価工程に処理が移行される。
【００６０】
ステップＳ２０のデザイン印象評価工程においては、ドキュメントのデザインの印象に関する情報（以下、デザイン印象情報という）が抽出される。デザイン印象評価工程は、図１１のフローチャートに沿って処理される。
【００６１】
まず、ステップＳ２０ａにおいて、実際のドキュメントデータを取り込み、記憶部１２に格納及び保持する。制御部１０は、図１２のように、デザイン取込画面１００４を出力部１６に表示して、デザイン制作者に対して評価対象となるデザインに関するドキュメントの入力を促す。
【００６２】
例えば、デザイン制作者はウェブページをデザインし、それを予めネットワーク１０４上にアップロードしておく。次に、デザイン取込画面１００４のＵＲＬ入力ボックス３０にそのウェブページのＵＲＬを入力し、デザイン取込画面１００４上に表示されたマウスポインタ５をウェブデザイン取込ボタン３２に移動させて、マウスをクリックすることによって、デザイン印象評価の対象となるウェブページの取得先を指定する。制御部１０は指定を受けると、ネットワーク１０４を介して、指定されたＵＲＬからウェブページのドキュメントデータを取り込む。取り込まれたドキュメントデータは、図１３のように、ドキュメントデータの識別情報（例えばＵＲＬ）と関連付けられてデザインデータベースとして記憶部１２に順次蓄積される。
【００６３】
なお、デザインの識別番号に対して、未だデザインデータベースが生成されていない場合には、デザインの識別番号に関連付けて新たなデザインデータベースを生成する。一方、既にデザインの識別番号に対するデザインデータベースが存在している場合には、既存のデザインデータベースに対してドキュメントデータの識別情報及びドキュメントデータが付加的に蓄積される。
【００６４】
また、制作したウェブページのみならず、例えば、競合他社のウェブページのＵＲＬを指定することによって、それらのウェブページのドキュメントデータを取り込んで評価することも可能である。
【００６５】
なお、デザイン制作の対象がプレゼンテーション資料、新商品又は企業のブランドロゴ等である場合には、スキャナ等の読取装置を用いて、ドキュメントデータを取り込むことも好適である。この場合、デザイン取込画面１００４のドキュメント取込ボタン３４をクリックすることによって、既存のドキュメント読取ツールを起動するようにすることが好ましい。
【００６６】
以下の説明では、例として図１４のウェブページのドキュメントが取り込まれたものとする。
【００６７】
ステップＳ２０ｂでは、取り込まれたドキュメントデータが人間に与える印象の評価を行う。デザインの印象評価には、特願２００２−１８７５２２号等の既存の評価手段を用いることができる。
【００６８】
すなわち、制御部１０は被評価ドキュメントの画像データを記憶部１２から読み出し、図１４のように領域分割する。領域分割には、既存の画像領域分割ツールを用いることができる。次に、面積、位置、大きさ、色平均、他の領域との色差等の物理的特徴量を分割された領域毎に抽出する。
【００６９】
ここで、各領域は、ＲＧＢ色空間からＬ＊ａ＊ｂ＊色空間に変換した後に視覚的な特徴量を抽出することが好適である。通常、コンピュータで利用されるドキュメントデータは、不均等色空間であるＲＧＢ色空間によって表現されていることが多く、人の感覚に近い分析ができない。そこで、不均等色空間であるＲＧＢ色空間から均等色空間であるＬ＊ａ＊ｂ＊色空間に変換することによって、より人の感性に近い印象として分析・評価することができる。また、Ｌ＊ａ＊ｂ＊空間はドキュメントのダイナミックレンジを表現できる点からも好適である。勿論、ドキュメントデータが既にＬ＊ａ＊ｂ＊色空間で表現されている場合には変換をする必要はない。
【００７０】
また、物理的な特徴量とは、着目領域の面積、着目領域の幅ｗ及び高さｈ、左上の位置ｘ，ｙ、着目領域全体の色平均、Ｌ＊成分の平均値、ａ＊成分の平均値、ｂ＊成分の平均値、ドキュメント全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数などの特徴をいう。また、ドキュメントデータの背景領域、背景領域を除く最も大きな領域を持つメイン領域及びメイン領域に対してアクセントとなるアクセント領域から平均色を抽出して特徴量としてもよい。
【００７１】
一方、物理的特徴量の組み合わせに対してデザイン印象情報を関連付けてデザイン評価データベースとして記憶部１２に格納及び保持する。例えば、図１５のように、背景領域、背景領域を除く最も大きな領域を持つメイン領域及びメイン領域に対してアクセントとなるアクセント領域の各領域の色彩（図中ではハッチングで示す）の組を生成し、それらの色彩の組から人間が受ける印象を表すデザイン印象情報を関連付けて保存しておく。
【００７２】
このデザイン評価データベースに基づいて、実際のドキュメントデータの背景領域、メイン領域及びアクセント領域から平均色を抽出し、その平均色の組み合わせからデザイン印象情報を決定することができる。抽出されたデザイン印象情報は、図１３のように、ドキュメントデータの識別番号及び評価対象となったドキュメントデータと関連付けられてデザインデータベースとして記憶部１２に格納及び保持される。
【００７３】
例えば、図１４のドキュメントデータの背景領域、メイン領域及びアクセント領域の各領域から平均色を抽出すると、図１５のデザイン評価データベースに基づいて、「キュートな」というデザイン印象情報を求めることができる。
【００７４】
なお、印象に関する情報を抽出するために用いることができる特徴量は、領域の面積、領域の幅ｗ及び高さｈ、左上の位置ｘ，ｙ、領域全体の色平均、Ｌ＊成分の平均値、ａ＊成分の平均値、ｂ＊成分の平均値、全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数を用いてもよい。
【００７５】
また、これらの特徴量を組み合わせた条件とドキュメントの印象に関する表現情報とを関連付けた多次元の表現情報データベースを用いてもよい。このように、出来る限り多くの特徴量を組み合わせることにより、ドキュメントが人間に与える印象をより詳細なものとすることができる。特に、ドキュメント領域間の色差など、異なるドキュメント領域間の特徴量の差異を含んだ条件を用いることにより、被評価ドキュメントの中で強いコントラストを持つ箇所等から受ける印象を表す表現情報を抽出することも可能となる。
【００７６】
また、ドキュメントデータから得られた物理的特徴量そのものをデザイン印象情報とすることも好適である。例えば、ドキュメントデータの背景領域、メイン領域及びアクセント領域の平均色の組み合わせ自体をカラーパレットとしてデザイン印象情報としても良い。
【００７７】
デザイン印象が選定されると、デザイン印象評価工程を終了し、制御部１０は、ステップＳ０に制御を戻す。なお、本実施の形態では、ドキュメントを複数の領域に分割して処理を行ったが、１つのドキュメント全体に対して処理を行ってもよい。
【００７８】
２−３．ユーザ印象取得工程
ステップＳ０において、ユーザ印象取得ボタン２２がクリックされると、ステップＳ３０のユーザ印象取得工程に処理が移行される。
【００７９】
ステップＳ３０のユーザ印象取得工程では、ステップＳ２０で取り込まれたドキュメントデータからユーザが受ける印象（以下、ユーザ印象情報という）が定められる。ユーザ印象取得工程は、図１６に示すフローチャートによって処理される。
【００８０】
まず、ステップＳ３０ａにおいて、制御部１０は、ドキュメントデータ選択画面１００６を出力部１６に表示させ、ステップＳ２０で取り込まれたドキュメントデータのうち印象取得の対象となるドキュメントデータの選択を促す。
【００８１】
ドキュメントデータ選択画面１００６は、図１７に示すように、記憶部１２のデザインデータベースに保持されているドキュメントデータに関する情報を画面上に列挙して表示し、いずれのドキュメントデータに対するユーザ印象情報を取得するか、を選択させるものが好適である。ただし、ドキュメントデータ選択画面１００６の態様はこれに限られるものではなく、デザインデータベースに保持されているドキュメントデータの選択が可能であれば良い。
【００８２】
ドキュメントデータに対する印象の入力を行うユーザは、マウス等の入力部１４を用いて、ドキュメントデータ選択画面１００６のドキュメントデータ（画像データ）に関する各情報に設けられたチェックボックス４０へマウスポインタ５を移動させ、マウスをクリックすることによって情報を選ぶ。次に、選択決定ボタン４２にマウスポインタ５を移動させてマウスをクリックすることにより、ドキュメントデータの選択を決定する。
【００８３】
ステップＳ３０ｂでは、制御部１０は、ユーザ印象入力画面１００８を出力部１６に表示させ、ドキュメントデータを見たユーザが受ける印象の入力を促す。ユーザ印象入力画面１００８は、図１８のように、選択されたドキュメントデータの内容を表示する領域４３と、デザインの印象を表現する情報（選択肢）を列挙表示する領域４４とに分割される。
【００８４】
制御部１０は、記憶部１２に保持されているデザインデータベースから、ステップＳ３０ａで選択されたドキュメントデータを読み出し、そのドキュメントデータをドキュメントデータ表示領域４３に画像形成して表示する。例えば、ウェブページのドキュメントデータが選択された場合、図１８のように、デザインデータベースからそのドキュメントデータのＵＲＬを読み出し、そのＵＲＬからそのドキュメントデータを取り込んでディスプレイ上に表示する。
【００８５】
さらに、制御部１０は、記憶部１２に保持されている印象表現データベースからデザインの印象を表現する情報（選択肢）を読み出し、印象表現表示領域４４に表示させる。印象表現データベースに含まれる印象を表現する情報（選択肢）は、ステップＳ１０の目標印象決定工程と同様、デザインの印象を表現する複数の形容詞、単一の色からなるカラーパッチや色彩の組からなるカラーパレットを含む色彩情報、デザインの印象を抽象的に表現する抽象画群等からドキュメントデータの種類に応じて適宜選択して用いることが好適である。
【００８６】
本実施の形態では、図８の印象情報データベースから複数の形容詞群からなる文字情報を読み出して印象表現表示領域４４に表示させる。
【００８７】
次に、ステップＳ３０ｃにおいて、ユーザは、入力部１４を用いて、ドキュメントデータ表示領域４３に表示されたドキュメントのデザインを見たときに感ずる印象に合った情報を選択する。
【００８８】
例えば、図１８のように、形容詞が列挙された印象表現表示領域４４にマウスポインタ５を表示しておき、ユーザはマウスを用いて、デザインから受ける印象に合致する形容詞に設けられたチェックボックス４６にマウスポインタ５を移動させ、マウスをクリックして選択する。選択されたチェックボックス４６にはチェックマークを表示させる。スクロールボタン４８上にマウスポインタ５を移動させ、マウスをクリックすることにより形容詞の表示を適宜変更することができる。形容詞の選択が終了すると、マウスポインタ５を決定ボタン４７の位置まで移動させてマウスをクリックすることによって、選択された形容詞の文字情報が記憶部１２に保存される。
【００８９】
ステップＳ３０ｄでは、ステップＳ３０ｃでユーザ印象情報設定用データベースに登録された選択肢（形容詞）及びその選択頻度に基づいて、実際のドキュメントから受ける印象を示すユーザ印象情報が決定される。ユーザ印象情報は、上記目標印象情報と同様に決定することができる。
【００９０】
ステップＳ３０ｃで選択された形容詞（選択肢）に基づいてユーザ印象情報が決定される。制御部１０は、予め記憶部１２に格納されている印象評価データベースを参照することによって、ステップＳ３０ｃにおいて選択された形容詞に関連付けられている印象情報及び係数を抽出する。
【００９１】
例えば、選択された形容詞が「あどけない」であった場合、図１０の印象評価データベースの例では、印象情報として「キュート」及び係数０．１、「カジュアル」及び係数０．５、「プリティ」及び係数０．４が抽出される。同様に、「可憐な」については、「キュート」及び係数０．８、「カジュアル」及び係数０．２が抽出され、「メルヘンの」については、「キュート」及び係数０．７、「プリティ」及び係数０．２、「ナチュラル」及び係数０．１が抽出される。
【００９２】
制御部１０は、抽出された印象情報毎に係数を足し合わせて評価値を算出する。そして、印象情報毎の評価値が最も大きい値である印象情報をメインユーザ印象情報として設定し、評価値が二番目に大きい値である印象情報をサブユーザ印象情報として設定し、評価値が三番目に大きい値である印象情報をアクセントユーザ印象情報として設定する。
【００９３】
上記例では、印象情報毎の評価値は、それぞれ「キュート」が１．６、「カジュアル」が０．７、「プリティ」が０．６、「ナチュラル」が０．１となる。したがって、最も評価値が大きい「キュート」がメインユーザ印象情報、二番目に評価値が高い「カジュアル」がサブユーザ印象情報、三番目に評価値が高い「プリティ」がアクセントユーザ印象情報として設定される。
【００９４】
なお、本実施の形態では、メインユーザ印象情報、サブユーザ印象情報及びアクセントユーザ印象情報が決定される。メインユーザ印象情報は、実際のドキュメントのデザインからユーザが受ける印象のうち最も強い印象を表す情報を意味する。サブユーザ印象情報は、実際のドキュメントのデザインからユーザが受ける二番目に強い印象を表す情報を意味する。アクセントユーザ印象情報は、実際のドキュメントのデザインのうちユーザに対してアクセントを与える印象を意味する。
【００９５】
メインユーザ印象情報、サブユーザ印象情報及びアクセントユーザ印象情報が決定されると、制御部１０は、それらの情報を記憶部１２に記憶させた後に、処理をメインルーチンＳ０へ戻す。
【００９６】
以上のように、本実施の形態では、実際のドキュメントのデザインからユーザが受ける印象を表す形容詞を選択させ、その選択に応じてユーザ印象情報を決定する。印象を抽象化して表現する印象情報を直接選択するのではなく、ユーザにとって意味が比較的理解し易い選択肢（形容詞）を選択させることによって、それらの選択された選択肢（形容詞）に基づいて実際のドキュメントのデザインの印象を容易かつ的確に決定することができる。
【００９７】
なお、本実施の形態では、選択肢として形容詞を用いたが、上記のように単一の色を表すカラーパッチの群や複数の色彩を組み合わせたカラーパレットの群からなる色彩情報、デザインの印象を抽象的に表現する抽象画の群からなる画像情報を用いても同様に処理を行うことができる。
【００９８】
また、本実施の形態では、単純に印象情報毎の係数の和を評価値としてメインユーザ印象情報、サブユーザ印象情報及びアクセントユーザ印象情報を設定したが、これに限定されるものではない。例えば、印象情報毎に人に与える印象の強さが異なるので、予め印象情報毎にその印象情報に沿ったデザインをドキュメントに取り込んだ場合に人に与える印象の強さの相違をアンケート等で評価しておき、その結果に応じて印象情報毎の評価値を補正してもよい。
【００９９】
また、本実施の形態では、一人の依頼主のみの情報選択に基づいてユーザ印象情報を定めるものとしたが、上記ステップＳ３０ｃを繰り返すことによって、複数の評価者によって選択された選択肢（形容詞）に基づいてユーザ印象情報を設定するものとしてもよい。この場合も、上記と同様に、印象情報毎に複数の評価者によって選択された選択肢（形容詞）の係数を足し合わせて評価値を算出し、その評価値に基づいてユーザ印象情報を設定することができる。
【０１００】
２−４．印象呈示
ステップＳ０において、印象呈示ボタン２３がクリックされると、ステップＳ４０の印象呈示に処理が移行される。
【０１０１】
ステップＳ４０の印象呈示は、図１９に示すフローチャートに沿って実行され、ステップＳ１０で求めた目標印象情報、ステップＳ２０で求めたデザイン印象情報及びステップＳ３０で求めたユーザ印象情報の表示を行う。
【０１０２】
まず、ステップＳ４０ａにおいて、制御部１０は、表示選択画面１０１０を出力部１６に表示させ、いずれの情報の表示を行うかを操作者に選択させる。表示選択画面１０１０では、図２０のように、表示の対象となるデザインの識別番号を入力ボックス５４に入力する。また、チェックボックス５０を選択して、決定ボタン５２をクリックすることによって、目標印象情報、デザイン印象情報及びユーザ印象情報の中から表示する情報を選択する。
【０１０３】
表示対象となる情報が入力されると、ステップＳ４０ｂにおいて、制御部１０は、表示対象とされた情報の画面上の表示位置を決定する。
【０１０４】
本実施の形態において、目標印象情報、デザイン印象情報及びユーザ印象情報は、印象マップ画面１０１２上に表示される。印象マップ画面１０１２は、図９に示した印象マップと同様に、各座標軸に沿って印象が所定の傾向で変化していくように領域を割り付ける。そして、印象評価データベースに登録されている各印象情報をその傾向に沿って印象マップに割り付ける。例えば、図２１に示す印象マップ画面１０１２の例では、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って各印象情報が割り当てられている。例えば、図２２に示すように、印象マップ上に各印象情報が割り当てられている位置のＸ座標及びＹ座標を印象表示データベースとして記憶部１２に格納及び保持させる。なお、印象マップ画面１０１２上への情報の割り当て方法はこれに限られるものではなく、対象とするデザインの種類に応じて座標軸の設定を変更することが好ましい。
【０１０５】
目標印象情報又はユーザ印象情報の表示が選択された場合、制御部１０は、ステップＳ１０ｂで入力されたデザインの意味するカテゴリーに基づいて、表示対象となる目標印象情報、ユーザ印象情報の表示位置を補正する処理を行う。
【０１０６】
まず、印象表示用データベースを参照して、印象マップ上において表示対象となる目標印象情報又はユーザ印象情報が割り当てられている位置を抽出する。例えば、ステップＳ４０ａにおいて目標印象情報が表示対象として選択された場合、ステップＳ４０ａにおいて表示対象とされたドキュメントについて求められたメイン目標印象情報、サブ目標印象情報及びアクセント目標印象情報にそれぞれについて印象マップ上に割り当てられた位置の座標値が抽出される。具体的には、メイン目標印象情報が「プリティ」であったなら、図２２の印象表示用データベースの例では、Ｘ座標として１００、Ｙ座標として４５０が抽出される。
【０１０７】
次に、ステップＳ１０ｂで取得したカテゴリーの印象マップ上の重心位置が記憶部１２から読み出される。例えば、図２３に示すように印象マップ上において「春」，「夏」，「秋」，「冬」のカテゴリーの領域が決定されている場合、ステップＳ１０ｂでカテゴリーとして「春」が選択された場合には記憶部１２から印象マップ上の「春」の領域の重心位置ＡのＸ座標及びＹ座標が読み出される。同様に、ステップＳ１０ｂでカテゴリーとして「夏」，「秋」，「冬」のいずれかが選択された場合には、記憶部１２から印象マップ上の「夏」，「秋」，「冬」の領域の重心位置Ｂ，Ｃ，ＤのいずれかのＸ座標及びＹ座標が読み出される。
【０１０８】
制御部１０は、表示対象となる目標印象情報又はユーザ印象情報の割り当て位置をカテゴリーの重心位置の方向に所定の割合だけずらせるように表示位置を算出する。例えば、メイン目標印象情報が「プリティ」であり、デザインが意味する内容（カテゴリー）が「春」であった場合、図２４に示すように、表示対象となる目標印象情報が「プリティ」であり、その印象マップ上の割り当て位置ＥのＸ座標からカテゴリー「春」の領域（図中、ハッチングで示す領域）の重心位置ＡのＸ座標を減算し、その値に所定の係数αｘ（０より大きく１より小さい値）を乗算した値をメイン目標印象情報の表示位置のＸ座標とし算出し、割り当て位置ＥのＹ座標から重心位置ＡのＹ座標を減算し、その値に所定の係数αｙ（０より大きく１より小さい値）を乗算した値をメイン目標印象情報の表示位置のＹ座標として算出する。このように、選択されたデザインの意味の内容（カテゴリー）の領域の重心位置に基づいて補正された表示位置Ｆを算出する。なお、係数αｘ及び係数αｙは、予め記憶部１２に登録しておいてもよいし、印象マップ画面１０１２上に係数αｘ及び係数αｙを入力する領域を設けてユーザに設定させてもよい。また、他の目標印象情報及びユーザ印象情報についても同様に表示位置を算出することができる。
【０１０９】
表示対象である目標印象情報及びユーザ印象情報の表示位置が決定されると、制御部１０は、ステップＳ４０ｃにおいて、印象マップ画面１０１２上に表示対象とされた目標印象情報、デザイン印象情報又はユーザ印象情報を表示する。
【０１１０】
ステップＳ４０ａにおいて目標印象情報が選択された場合、目標印象情報が印象マップ画面１０１２に重ね合わせて表示される。本実施の形態では、ステップＳ４０ｂにおいて読み出されたメイン目標印象情報、サブ目標印象情報及びアクセント目標印象情報が、ステップＳ４０ｂにおいて補正された表示位置に印象マップ画面１０１２に重ね合わせて表示される。例えば、カテゴリー「春」が選択された場合、各目標印象情報の表示位置がカテゴリー「春」の領域（図中、ハッチング領域）の重心位置に向けて補正され、図２５に示すように、各目標印象情報がカテゴリー「春」の領域（ハッチング領域）内の表示位置に表示される。
【０１１１】
ステップＳ４０ａにおいてデザイン印象情報が選択された場合、図２６に示すように、デザイン印象情報が印象マップ画面１０１２に重ね合わせて表示される。本実施の形態では、ステップＳ４０ｂにおいて読み出されたデザイン印象情報が、印象表示用データベースのデザイン印象情報に対応する印象情報の割り当て位置に印象マップ画面１０１２に重ね合わせて表示される。
【０１１２】
このとき、デザインデータベースに含まれるドキュメントデータ毎に情報の表示色を変更する等して、表示された情報の識別を容易にすることが好ましい。また、各々のデザイン印象情報の代わりに、又は、各々のデザイン印象情報と併せて、それらに対応するドキュメントのデザインを表示することも好適である。
【０１１３】
ステップＳ４０ａにおいてユーザ印象情報が選択された場合、ユーザ印象情報が印象マップ画面１０１２に重ね合わせて表示される。本実施の形態では、ステップＳ４０ｂにおいて読み出されたメインユーザ印象情報、サブユーザ印象情報及びアクセントユーザ印象情報が、ステップＳ４０ｂにおいて補正された表示位置に印象マップ画面１０１２に重ね合わせて表示される。例えば、カテゴリー「春」が選択された場合、各ユーザ印象情報の表示位置がカテゴリー「春」の領域（図中、ハッチング領域）の重心位置に向けて補正され、図２７に示すように、各ユーザ印象情報がカテゴリー「春」の領域（ハッチング領域）内の表示位置に表示される。このとき、ユーザ印象情報データベースに含まれるドキュメントデータ毎に情報の表示色を変更する等して、表示された情報の識別を容易にすることが好ましい。
【０１１４】
このように、本実施の形態では、制作対象となるドキュメントのデザインが意味する内容（カテゴリー）や実際のドキュメントのデザインが意味する内容（カテゴリー）に応じて、印象マップ画面１０１２上における目標印象情報及びユーザ印象情報を表示する位置を補正して表示を行う。このとき、印象マップ画面１０１２の座標軸は変更せずに、目標印象情報及びユーザ印象情報の表示位置の座標を補正して表示を行う。これによって、ドキュメントのデザインの意味に応じて、デザイン制作の目標とするべき印象や実際のデザインからユーザが受ける印象を従来よりも的確に評価することができる。
【０１１５】
さらに、ステップＳ４０ａにおいて、目標印象情報とデザイン印象情報の両方が選択された場合、図２８に示すように、デザイン識別番号に関連付けられた目標印象情報及びデザイン印象情報の両方が印象マップ画面１０１２に重ね合わせて表示される。このときも、ステップＳ４０ｂにおいて目標印象情報（メイン目標印象情報、サブ目標印象情報、アクセント目標印象情報）は補正された表示位置に表示させる。同様に、目標印象情報とユーザ印象情報の両方が選択された場合、デザイン印象情報とユーザ印象情報の両方が選択された場合、又は目標印象情報、デザイン印象情報及びユーザ印象情報の全てが選択された場合、目標印象情報及びユーザ印象情報は印象マップ画面１０１２上の補正された表示位置に表示し、デザイン印象情報は印象マップ画面１０１２上の割り当て位置に表示される。
【０１１６】
このように、目標印象情報、デザイン印象情報及びユーザ印象情報を１つの印象マップ画面１０１２に重ね合わせて表示することによって、デザイン制作者、依頼主及びユーザがデザイン制作の目標となる印象、実際のデザインが有する印象及び実際のデザインからユーザが受け取る印象を視覚的に比較しながら確認することができる。このとき、印象マップ画面１０１２上では、各々の情報が印象傾向を示す座標軸に沿って表示されるため、目標となる印象、実際のデザインの印象及びユーザの受け取る印象がどの程度相違するのか、その相違はどのような傾向であるのか、等を明確に把握することができる。
【０１１７】
さらに、ステップＳ２０において、他社のウェブページや他の商品のデザインに対してデザイン印象情報を求めておくことにより、これらの情報と目標印象情報を比較して確認することもできる。これにより、他社のウェブページや他の商品の印象と制作するデザインの目標印象との一致又は相違を把握することが容易となる。
【０１１８】
また、図２９に示すように、印象マップにＸ軸及びＹ軸の印象の傾向に沿って単色のカラーパッチや複数の色を組み合わせたカラーパレットを割り付けておき、表示対象である目標印象情報、デザイン印象情報及びユーザ印象情報の代わりに、又は、これらの各印象情報と共にカラーパッチやカラーパレットを表示させてもよい（図中、異なる色を異なるハッチングで示す）。
【０１１９】
このように、表示対象である目標印象情報、デザイン印象情報及びユーザ印象情報の表示位置に対応する印象を示すカラーパッチやカラーパレットをユーザに呈示することによって、ユーザはデザイン制作の際にデザインに取り込むことによって目標となる印象を有するデザインを容易に制作することができ、また、ユーザは実際のデザインから受ける印象がデザインの中のどの色の組み合わせによって生じているのかを視覚的に容易に把握することができる。
【０１２０】
また、図３０及び図３１に示すように、印象マップ画面１０１２にスライドバーを表示させ、マウス等でスライドバーをスライドさせることによって、目標印象情報やユーザ印象情報の表示位置とカテゴリーの領域の重心位置との間においてスライドバーをスライドさせた割合に応じた位置に割り当てられている他の印象情報、カラーパッチ、カラーパレットを印象マップ画面１０１２上に表示させることも好適である。すなわち、スライドバーのスライド位置に応じて０〜１の係数を設定し、目標印象情報やユーザ印象情報の表示位置のＸ座標及びＹ座標とカテゴリーの領域の重心位置のＸ座標とＹ座標の各々の差にその係数を乗算することによって、目標印象情報やユーザ印象情報の表示位置とカテゴリーの領域の重心位置との間におけるスライドバーをスライドさせた割合に応じた位置を算出し、印象表示用データベース等を参照してその座標に割り当てられている印象情報、カラーパッチ、カラーパレットを抽出してその座標位置に表示させる。
【０１２１】
例えば、図３０に示すように、「プリティ」の表示位置に近い印象情報、カラーパッチ、カラーパレットは「プリティ」という印象を与えるデザインを想起させるものであり、図３１に示すように、「春」というカテゴリーの領域の重心位置に近い印象情報、カラーパッチ、カラーパレットは「春」を強く想起させるものである。したがって、「プリティ」の表示位置と「春」の重心位置との間に割り当てられた印象情報、カラーパッチ、カラーパレットをスライドバーのスライド位置に応じて表示させることによって、どのような印象情報、カラーパッチ、カラーパレットがデザインの印象にどのような影響を与えるのかを容易に把握することができる。もちろん、スライドバー以外にも、例えば、ユーザに印象情報の表示位置と重心位置との間の割合を入力させる等の手段を用いてもよい。
【０１２２】
なお、本実施の形態では、カテゴリー毎に定められた印象マップ上の重心位置に基づいて各印象情報の表示位置を補正したが、これに限定されるものではない。重心位置の代わりに、ステップＳ１０ｂで選択されたカテゴリーの領域の最頻度位置又は上位頻度の重み付け平均位置を用いて表示位置の補正を行ってもよい。最頻度位置及び上位頻度の重み付け平均位置を用いた位置補正の処理は、重心位置を用いた場合と同様に行うことができる。例えば、表示対象である各印象情報の印象マップ上での割り当て位置のＸ座標及びＹ座標からステップＳ１０ｂで選択されたカテゴリーの最頻度位置又は上位頻度の重み付け平均位置のＸ座標及びＹ座標を減算し、その値に対してそれぞれ所定の係数αｘ及びαｙ（各々０より大きく１より小さい値）を乗算することによって表示対象となる情報の表示位置の座標を決定することができる。
【０１２３】
重心位置は印象マップ上におけるデザインの意味の内容を平均的に表す位置を示す。したがって、重心位置を用いて各印象情報の表示位置の補正を行った場合、印象マップのＸ軸とＹ軸とが表す印象の傾向において各印象情報をデザインの意味の内容（カテゴリー）に応じて平均的に補正した表示位置に表示させることになる。また、最頻度位置は、各カテゴリーに対してユーザが選択した選択肢のうち最も頻度が高い選択肢が割り当てられた位置であるので、印象マップ上におけるデザインの意味の内容を最も端的に表す位置を示すといえる。したがって、最頻度位置を用いて各印象情報の表示位置の補正を行った場合、印象マップのＸ軸とＹ軸とが表す印象の傾向において各印象情報をデザインの意味の内容（カテゴリー）を端的に表した位置へ向けて補正した表示位置に表示させることになる。また、上位頻度の重み付け平均位置は、各カテゴリーに対してユーザが選択した選択肢のうち選択頻度が高い選択肢の割り当て位置の平均的な位置であるので、印象マップ上における各カテゴリーの重心位置と最頻度位置との中間の位置を示すといえる。したがって、上位頻度の重み付け平均位置を用いて各印象情報の表示位置の補正を行った場合、印象マップのＸ軸とＹ軸とが表す印象の傾向において重心位置を用いて補正を行った場合と最頻度位置を用いて補正を行った場合との中間的な表示位置に各印象情報を表示させることになる。
【０１２４】
＜変形例＞
上記実施の形態では、ステップＳ１０及びステップＳ３０において、ユーザによって選択された選択肢（形容詞）を統計的処理することによって目標印象情報及びユーザ印象情報を決定するものとしたが、ユーザによって選択された選択肢（形容詞）自体を目標印象情報及びユーザ印象情報としてもよい。
【０１２５】
例えば、複数のユーザに、ドキュメントのデザインの制作の目標とすべき印象を表す選択肢（形容詞）を選択させ、選択された形容詞のうち複数のユーザにおいて選択頻度が最も高い選択肢（形容詞）をメイン目標印象情報、二番目に選択頻度が高い選択肢（形容詞）をサブ目標印象情報、三番目に選択頻度が高い選択肢（形容詞）をアクセント目標印象情報とすることが好ましい。
【０１２６】
同様に、複数のユーザに、実際のドキュメントのデザインからユーザが受ける印象を表す選択肢（形容詞）を選択させ、選択された形容詞のうち複数のユーザにおいて選択頻度が最も高い選択肢（形容詞）をメインユーザ印象情報、二番目に選択頻度が高い選択肢（形容詞）をサブユーザ印象情報、三番目に選択頻度が高い選択肢（形容詞）をアクセントユーザ印象情報とする。
【０１２７】
選択肢自体（形容詞）を目標印象情報やユーザ印象情報とした場合にも、印象マップのＸ軸及びＹ軸で表される印象の傾向に沿って選択肢自体（形容詞）を印象マップ上に割り当てて印象表示用データベースとして登録する。そして、表示対象となった各目標印象情報及び各ユーザ印象情報の印象マップ上での割り当て位置をデザインの意味の内容（カテゴリー）に応じて重心位置等で補正して表示位置を求め、印象マップ画面１０１２においてそれらの表示位置に各印象情報を表示させればよい。
【０１２８】
もちろん、デザインの印象を表現する情報（選択肢）は、デザインの印象を端的に表現する形容詞群のみならず、単一の色を表すカラーパッチの群や複数の色彩を組み合わせたカラーパレットの群からなる色彩情報、デザインの印象を抽象的に表現する抽象画の群からなる画像情報としてもよい。
【図面の簡単な説明】
【０１２９】
【図１】本発明の実施の形態におけるデザイン制作支援装置の全体構成のブロック図である。
【図２】本発明の実施の形態におけるマネジメントサーバの構成のブロック図である。
【図３】本発明の実施の形態におけるデザイン制作支援方法のメインのフローチャートである。
【図４】本発明の実施の形態におけるメインメニュー画面を示す図である。
【図５】本発明の実施の形態における目標印象決定工程のフローチャートである。
【図６】本発明の実施の形態におけるデザインの意味の内容（カテゴリー）の入力画面を示す図である。
【図７】本発明の実施の形態における目標印象入力画面を示す図である。
【図８】本発明の実施の形態における印象表現データベースを示す図である。
【図９】本発明の実施の形態における印象マップを示す図である。
【図１０】本発明の実施の形態における印象評価データベースを示す図である。
【図１１】本発明の実施の形態におけるデザイン印象評価工程のフローチャートである。
【図１２】本発明の実施の形態におけるデザイン印象評価画面を示す図である。
【図１３】本発明の実施の形態におけるデザインデータベースを示す図である。
【図１４】本発明の実施の形態におけるウェブページの例を示す図である。
【図１５】本発明の実施の形態におけるデザイン評価データベースを示す図である。
【図１６】本発明の実施の形態におけるユーザ印象取得工程のフローチャートである。
【図１７】本発明の実施の形態におけるドキュメントデータ選択画面を示す図である。
【図１８】本発明の実施の形態におけるユーザ印象入力画面を示す図である。
【図１９】本発明の実施の形態における印象呈示のフローチャートである。
【図２０】本発明の実施の形態における表示選択画面を示す図である。
【図２１】本発明の実施の形態における印象マップ画面を示す図である。
【図２２】本発明の実施の形態における印象表示データベースを示す図である。
【図２３】本発明の実施の形態における印象マップ上における各カテゴリーの領域の重心位置の例を示す図である。
【図２４】本発明の実施の形態における重心位置に基づく印象情報の表示位置の算出方法を説明するための図である。
【図２５】目標印象情報を重ね合わせて表示した印象マップ画面を示す図である。
【図２６】デザイン印象情報を重ね合わせて表示した印象マップ画面を示す図である。
【図２７】ユーザ印象情報を重ね合わせて表示した印象マップ画面を示す図である。
【図２８】目標印象情報及びデザイン印象情報を重ね合わせて表示した印象マップ画面を示す図である。
【図２９】印象情報としてカラーパレットを用いた場合において目標印象情報を重ね合わせて表示した印象マップ画面を示す図である。
【図３０】表示位置と重心位置との間に割り当てられた印象情報等を表示させる例を示す図である。
【図３１】表示位置と重心位置との間に割り当てられた印象情報等を表示させる例を示す図である。
【図３２】デザイン制作のフローチャートである。
【符号の説明】
【０１３０】
５  マウスポインタ、１０  制御部、１２  記憶部、１４  入力部、１５  入力ボックス、１６  出力部、１８  ネットワークインターフェース部、２０  目標印象決定ボタン、２１  デザイン印象評価ボタン、２２  ユーザ印象取得ボタン、２３  印象呈示ボタン、２６  チェックボックス、２７  決定ボタン、２８  チェックボックス、２９  決定ボタン、３０  入力ボックス、３２  ウェブデザイン取込ボタン、３４  ドキュメント取込ボタン、３６  背景領域、３７  メイン領域、３８  アクセント領域、４０  チェックボックス、４２  選択決定ボタン、４３  ドキュメントデータ表示領域、４４  印象表現表示領域、４６  チェックボックス、４７  決定ボタン、４８  スクロールボタン、５０  チェックボックス、５２  決定ボタン、５４  入力ボックス、６０  印象情報呈示領域、６２ａ  Ｘ座標軸、６２ｂ  Ｙ座標軸、６４  スライドバー、１００  マネジメントサーバ、１０２ａ，１０２ｂ，１０２ｃ  クライアントコンピュータ、１０４  ネットワーク、１０００  メインメニュー画面、１００２  目標印象入力画面、１００４  デザイン印象評価画面、１００６  ドキュメントデータ選択画面、１００８  ユーザ印象入力画面、１０１０  表示選択画面、１０１２  印象マップ画面。
【図１】
0004788482.tif 000002
【図２】
0004788482.tif 000003
【図３】
0004788482.tif 000004
【図４】
0004788482.tif 000005
【図５】
0004788482.tif 000006
【図６】
0004788482.tif 000007
【図７】
0004788482.tif 000008
【図８】
0004788482.tif 000009
【図９】
0004788482.tif 000010
【図１０】
0004788482.tif 000011
【図１１】
0004788482.tif 000012
【図１２】
0004788482.tif 000013
【図１３】
0004788482.tif 000014
【図１４】
0004788482.tif 000015
【図１５】
0004788482.tif 000016
【図１６】
0004788482.tif 000017
【図１７】
0004788482.tif 000018
【図１８】
0004788482.tif 000019
【図１９】
0004788482.tif 000020
【図２０】
0004788482.tif 000021
【図２１】
0004788482.tif 000022
【図２２】
0004788482.tif 000023
【図２３】
0004788482.tif 000024
【図２４】
0004788482.tif 000025
【図２５】
0004788482.tif 000026
【図２６】
0004788482.tif 000027
【図２７】
0004788482.tif 000028
【図２８】
0004788482.tif 000029
【図２９】
0004788482.tif 000030
【図３０】
0004788482.tif 000031
【図３１】
0004788482.tif 000032
【図３２】
0004788482.tif 000033